(57)【要約】【課題】ノートパソコンを使用する人の在席状態を検出する手段により、人の検出とディスプレイの開閉状態を検出できるようにすることで、ディスプレイの開閉を検出する手段を別に設けることによるコストを削減し、信頼性を向上させる。【解決手段】装置本体と、装置本体に開閉可能に設けられた表示部と、表示部に設けられており人を検出可能であるとともに回動可能な光学センサと、表示部の開閉判別を光学センサにより行なう検出手段とを備えた表示部開閉検出装置を構成する。【選択図】図１
2009169627.tif 000002
【特許請求の範囲】
【請求項１】
装置本体と、
前記装置本体に開閉可能に設けられた表示部と、
前記表示部に設けられており人を検出可能であるとともに回動可能な光学センサと、
前記表示部の開閉判別を前記光学センサにより行なう検出手段とを
備えた表示部開閉検出装置。
【請求項２】
前記光学センサは前記表示部が閉じられた状態において
前記装置本体と対向するように回動し、
前記表示部が通常使用可能に開かれた状態において
水平方向から所定の角度下向きに回動して保持される回動機構を備えた
請求項１に記載の表示部開閉検出装置。
【請求項３】
前記検出手段は、前記光学センサの出力電圧が０Ｖレベルから所定の電圧レベルに所定の時間以内で変動したことにより前記表示部が開かれたと判別し、
前記光学センサの出力電圧が所定の電圧レベルから０Ｖレベルに変動したことにより前記表示部が閉じられたと判別する、
請求項１に記載の表示部開閉検出装置。
【請求項４】
装置本体と、
前記装置本体に開閉可能に設けられた表示部と、
前記表示部に設けられており人を検出可能であるとともに回動可能な光学センサと、
を備えた表示部開閉検出方法であって、
前記表示部の開閉判別を前記光学センサにより行なう検出ステップを
備えた表示部開閉検出方法。
【発明の詳細な説明】
【技術分野】
【０００１】
本発明は、例えばノートパソコンのような携帯型の情報処理装置に関し、特に省電力制御を行う装置および方法に関する。
【背景技術】
【０００２】
ノートパソコンの省電力機能を実現するためには、例えば特許文献１のようにノートパソコンの操作者が操作途中にディスプレイを閉じた時に、ディスプレイが閉じられたことを圧力スイッチ等により検出して省電力制御を行なう方法と、ノートパソコンを操作する操作者が操作途中で離席した時に、離席したことを光学センサ等により検出して省電力制御を行なう方法がある。
【０００３】
圧力スイッチ等によりディスプレイの開閉を検出して省電力制御を行なう方法の一例としては、ノートパソコン本体にディスプレイなどの蓋体の開閉を検出する検出部をプッシュ型のスイッチと突出部から構成する。スイッチはノートパソコン本体のヒンジに近接して設け、突出部は蓋体を閉じた時に突出部がスイッチに圧接して接点をオンするように蓋体側に設ける。
ディスプレイが閉じられると、スイッチはノートパソコン本体内に設けられるメイン制御部に接続され、上記スイッチによって蓋体の開閉状態を検出し、それに応じて例えばワイヤレスマウス等の周辺機器の通常モードから省電力モードへの移行、あるいは省電力モードから通常モードへの移行を制御する。検出部は、蓋体の開閉状態を検出し、その検出信号をメイン制御部へ出力する。メイン制御部は、検出部からの検出信号に応じてワイヤレス周辺機器の電源の動作モードを通信制御部及びアンテナを介して制御する。その後、操作者がノートパソコンの使用を再開するために蓋体を開いた時に、検出部により蓋体が開かれたことが検出され、メイン制御部からワイヤレスマウスに対して、通常モードに移行させるための命令が通信制御部及びアンテナを介して送られる。これにより、ワイヤレスマウスは、省電力モードから通常モードに移行する。
【０００４】
ノートパソコンを使用する操作者が離席したことを光学センサにより検出して省電力制御を行なう方法については、ディスプレイの枠前面に例えば赤外線センサ等の検出部を設ける。この検出部は、操作者が近くにいるか否かを検出し、その検出情報をノートパソコン本体へ出力する。ノートパソコン本体は、検出部の検出情報に応じて例えばワイヤレスマウス及びワイヤレスキーボードへモード制御命令を送出する。ノートパソコンの操作を中断するために操作者がディスプレイの前から離れると、検出部により操作者が離れたことが検出され、検出信号がノートパソコン本体へ送られる。ノートパソコン本体は、上記検出部から検出信号が送られてくると、無線により接続された機器の中で、予め省電力モードへの移行が設定されている機器、すなわちワイヤレスマウス及びワイヤレスキーボードに対し、省電力モードへ移行する命令を送出する。ワイヤレスマウス及びワイヤレスキーボードは、上記パソコン本体からの命令が送られてくると、省電力モードに移行する。
【０００５】
また、検出部により、操作者が表示部に近づいたことが検出されると、パソコン本体は、通常モードに切り換える命令を出力し、省電力モードに設定された機器を通常モードに復帰させる。
【０００６】
さらに、特許文献２のように距測センサによりあらかじめ設定された検出対象範囲であるセンサからの距離により、在席している人を検出してパソコンを通常使用モードで動作させ、それ以外はパソコンに省電力制御を行なわせようとする方法もある。
【０００７】
このように従来はパソコンのディスプレイの開閉を検出する手段と、パソコンを使用する人の在席状態を検出する手段をそれぞれ設けて省電力制御を行なっていた。
【０００８】
【特許文献１】特開２００１−３１２３３６号公報
【特許文献２】特開２００７−１０５５６号公報
【発明の開示】
【発明が解決しようとする課題】
【０００９】
しかし、従来のようにノートパソコンのディスプレイの開閉を検出する手段と、ノートパソコンを使用する人の在席状態を検出する手段をそれぞれ設けて省電力制御を行なう方法では、
ノートパソコンのディスプレイの開閉を検出する手段に必要なプッシュ型スイッチ等の電子部品や付随する電子回路及びそれらを設置するスペースが工数が必要となり、コストがかかってしまう。さらにパソコンを使用する人の在席状態を検出する手段により検出された結果とを統合する処理を行なわせる制御が必要であった。
【００１０】
さらにプッシュ型スイッチ等を含む電子部品や電子回路に故障が生じたりすればディスプレイの開閉状態を検出することができなくなってしまう問題があった。
【００１１】
そこで、本発明はノートパソコンを使用する人の在席状態を検出する手段により人の検出とディスプレイの開閉状態を検出できるようにすることで、ディスプレイの開閉を検出する手段を別に設けることによるコストを削減し、信頼性を向上させることを目的とする。
【課題を解決するための手段】
【００１２】
本発明の表示部開閉検出装置は、装置本体と、前記装置本体に開閉可能に設けられた表示部と、前記表示部に設けられており人を検出可能であるとともに回動可能な光学センサと、前記表示部の開閉判別を前記光学センサにより行なう検出手段とを備えている。
【００１３】
本発明の表示部開閉検出方法は、装置本体と、前記装置本体に開閉可能に設けられた表示部と、前記表示部に設けられており人を検出可能であるとともに回動可能な光学センサと、を備えた表示部開閉検出方法であって、前記表示部の開閉判別を前記光学センサにより行なう検出ステップを備えている。
【発明の効果】
【００１４】
本発明によれば、表示部の開閉機構を備えたコンピュータを人の検出に用いるセンサによりディスプレイの開閉状態も判別でき、コスト削減と信頼性向上を行うことができる。
【発明を実施するための最良の形態】
【００１５】
以下、図面を参照して本発明を実施するための最良の形態について説明する。まず図１を参照して本発明の構成を説明する。
【００１６】
図１を参照すると、入力制御部２は、ユーザからの操作によりキーボード１及びマウス３からの入力を制御する。
【００１７】
電源ボタン４は、ユーザからの操作により本体装置に電源を入れる。
【００１８】
センサ６は、例えば光学式距測センサであり人などの被測定物との距離に応じた電圧を出力するとともに回動可能である。
【００１９】
検出部７はセンサ６からの出力により人の検出と、ディスプレイの開閉検出を行う。
【００２０】
システムステート制御部８は検出部７からの検出結果を受けて本体装置の省電力制御を行う。
【００２１】
電源制御部５はユーザからの操作による電源ボタンからの電源ＯＮ／ＯＦＦ指示とシステムステート制御部８からの省電力制御により電源を制御する。
【００２２】
ＣＰＵ９と記憶手段であるＲＡＭ１０、ＲＯＭ１１と割り込み制御部１２とディスク制御部１３と液晶表示制御部１６はシステムバス１７に接続され構成される。
【００２３】
次に、図１のセンサ６の一例である光学センサの構成について図５により説明する。
図５は光学式距測センサを模式的に示した図である。図５を参照すると、近赤外波長の光を出射する発光素子としてのＬＥＤ（発光ダイオード）１０１と、このＬＥＤ１０１から出射する光を平行光にする発光側レンズ１０２と、被測定物からの反射光を集光する受光側レンズ１０３と、この受光側レンズ１０３で集光された光を受ける受光素子としてのＰＳＤ（位置検出素子）１０４を備える。上記ＰＳＤ１０４は、表面側から厚み方向順に、半導体のＰ層、Ｉ層及びＮ層を有するシリコンフォトダイオードであり、上記Ｐ層の表面が受光面になっている。この受光面に光が照射されると光電変換によって生成された光電流が受光面の長手方向の両端に設けられた電極から反射光の照射位置に応じた値の電流として出力されるようになっている。この一例が図３であり、縦軸はＰＳＤ１０４からの出力電圧であり横軸はセンサ６からの被測定物までの距離である。このグラフにおいてはセンサ６からの非測定物までの距離が１０ｃｍから２５ｃｍまでの比較的近距離が最も電圧が高くなっており、遠距離になるにしたがって電圧は下がっていき、図には記載されていないが所定の距離以上では０Ｖになる。
【００２４】
次に図２から図４までを参照して、本発明の実施の形態の動作を説明する。図２を参照して本発明の開閉検出制御について説明する。
【００２５】
図２（ａ）はディスプレイ枠の上側にセンサ６が取り付けられた本発明のノートパソコンである。ディスプレイがユーザの通常使用可能に開かれた状態ではセンサ６は水平方向からやや下向きに回動して所定の角度を保持される。所定の角度とは、前方に人がいない場合でも床等で反射された反射光が受光側レンズ１０３を通して必ずＰＳＤ１０４に到達してＰＳＤ１０４からの出力電圧が必ず０Ｖより大きな電圧レベルとなる角度である。
【００２６】
センサ６の回動機構としては例えば、センサ６が取り付けられるディスプレイ枠の上側部分をセンサ６を埋め込むことができる空間を確保する。さらにその空間内にセンサ６が回動可能なように回転軸とセンサ６がその回転軸を中心として回転するような弾性体を設ける。弾性体によりセンサ６は図２（ｃ）の状態から図２（ｂ）の状態に回転するが、センサ６を埋め込む空間をセンサ６が回動しても図２（ｂ）の状態以降には回転されないような空間形状を形成することでセンサ６を所定の角度に保持することができる。
【００２７】
ディスプレイを閉じた状態では図２（ｃ）のようにセンサ６は装置本体に対向する向きに回動するので、センサ６の内部のＬＥＤ１０１から発光側レンズ１０２を通して出射した光は外部へ出射できず受光側レンズ１０３に到達しないので、ＰＳＤ１０４からの電圧出力は０Ｖとなる。
【００２８】
次に図３を参照して、検出部７の動作について説明する。検出部７はセンサ部６により生成された電圧レベルにより人の検出とディスプレイの開閉検出を行なう。
【００２９】
まず、人の検出は図３における所定の電圧レベル以上の閾値範囲にて判別する。例えば人がセンサ６より１０ｃｍから３０ｃｍの範囲にいることにより在席を判定する場合は閾値電圧を２Ｖ近辺に設定する。
【００３０】
ディスプレイが装置本体から開かれた状態となることの検出は、センサ部６より生成された電圧レベルが０Ｖレベルから所定の時間以内に所定の電圧レベルに変動すれば開かれた状態であると判定する。例えば、ユーザが装置の電源がＯＦＦされた装置本体のディスプレイを開いて電源をＯＮする操作を行うと、センサ部６より生成された電圧レベルは０Ｖから所定の電圧レベル以上に変動するので開かれた状態であると判定される。
【００３１】
ディスプレイが装置本体から閉じられた状態となることの検出は、センサ部６より生成された電圧レベルが所定の電圧レベルから０Ｖに変動すれば閉じられた状態であると判定する。例えば、装置本体の電源がＯＮされた状態でディスプレイが閉じられると、ディスプレイが開いた状態ではセンサ部６は所定の角度に保持されているのでなんらかの反射光を受光することによりセンサ部６より生成された電圧レベルは必ず所定の電圧レベル以下にならない。所定の電圧レベルから０Ｖに変動することにより閉じられた状態であると判定される。
【００３２】
次に図４においてシステムステート制御部８の動作を説明する。図４は本発明の表示部開閉検出装置のユーザの使用状態における制御フローである。
まず、装置本体の電源がＯＮされた状態でユーザにより装置（ノートパソコン）が使用されている状態が使用中（在席）５０であり、センサ出力は＞０Ｖで人検出がされておりＬＣＤ（ディスプレイ）は開かれた状態５３である。ユーザが離席５４し装置から離れると、人検出はされない状態５５となる。その状態で所定の時間（例えば数秒）が経過５６すると、ディスプレイの画面表示が消え５８、省電力モードになる。
【００３３】
次にユーザが使用中（在席）５９の状態でディスプレイが閉じられる６３と、センサ部６より生成された電圧レベルは０Ｖとなり６５、所定の時間が経過（例えば１０秒から３０秒程度）
するとスリープモードに移行６７する。さらに所定の時間（例えば数分）が経過すればハイバネーションモードに移行する。この状態ではキーを押したり、装置本体に閉じられた表示部を開いた状態にしても装置本体への操作は行なえず、装置本体の電源をＯＮしなければ通常状態には復帰されない。
【００３４】
このように本発明の実施により、光学センサ６による人の検出とディスプレイの開閉状態の検出をおこなうことができる。
【図面の簡単な説明】
【００３５】
【図１】本発明の実施の形態の構成を説明するためのブロック図である。
【図２】本発明の実施の形態のディスプレイの開閉状態におけるセンサの状態を説明するための図である。
【図３】本発明の実施の形態の動作を説明するためのグラフである。
【図４】本発明の実施の形態の動作を説明するためのフローチャートである。
【図５】従来の光学式距測センサを模式的に示す図である。
【符号の説明】
【００３６】
１  キーボード
２  入力制御部
３  マウス
４  電源ボタン
５  電源制御部
６  センサー
７  検出部
８  システムステート制御部
９  ＣＰＵ
１０  ＲＡＭ
１１  ＲＯＭ
１２  割り込み制御
１３  ディスク制御部
１４  ディスク装置
１５  液晶制御部
１６  液晶表示装置
１７  システムバス
１０１  ＬＥＤ
１０２  発光側レンズ
１０３  受光側レンズ
１０４  ＰＳＤ（位置検出素子）
【図１】
2009169627.tif 000003
【図２】
2009169627.tif 000004
【図３】
2009169627.tif 000005
【図４】
2009169627.tif 000006
【図５】
2009169627.tif 000007